(57)【特許請求の範囲】
【請求項１】
浴室の対向する壁面に取り付けられる一対のカバー受け部材と、このカバー受け部材に端部が取り付けられて架け渡され、上記の壁面の間に横架される横長状の照明用カバーとでなり、カバーがカバー受け部材に嵌着自在に形成され、カバー受け部材のカバーの長手方向と直交する方向の前側に、カバーの長手方向に沿った前端部を係合させるための係合部が後方に折り返し状に形成され、又このカバー受け部材の後側に、カバーの長手方向に沿った後端部を係止させるための係止部が起立状に形成され、この係止部の上部に、カバーの後端部の上端を係止させるための爪片が前方に突き出されて形成され、上記のカバーが長手方向と直交する方向に可撓状に形成されていることを特徴とする浴室の照明用カバーユニット。
【請求項２】
請求項１記載の浴室の照明用カバーユニットであって、カバー受け部材に、カバーの端部を当接させる位置決め部が形成され、この位置決め部にカバーの端部を誘導するための誘導部が連ねられ、この誘導部がカバー受け部材の取り付け壁面の側に反らされて形成されたことを特徴とする浴室の照明用カバーユニット。
【請求項３】
請求項１又は２記載の浴室の照明用カバーユニットであって、浴室の対向する壁面と直交する壁面に取り付けられてカバーの長手方向の胴部を支承する支承部材を備え、この支承部材の前側に、カバーの長手方向に沿った前端部を係合させるための係合部が後方に折り返し状に形成され、又この支承部材の後側に、カバーの長手方向に沿った後端部を係止させるための係止部が起立状に形成され、この係止部の上部に、カバーの後端部の上端を係止させるための爪片が前方に突き出されて形成されていることを特徴とする浴室の照明用カバーユニット。
【発明の詳細な説明】
【０００１】
【発明の属する技術分野】
本発明は、浴室の照明用カバーユニットに関し、更に詳しくは浴室の壁面に取り付け、光源からの光を浴室の天井や壁などに反射させたり、発散、分配させるために使用する浴室の照明用カバーユニットに関するものである。
【０００２】
【従来の技術】
従来この種のユニットは、通常、光源を覆うカバー単独で構成され、専ら光源としての照明灯の能力や仕様を前提に決定されていた。
【０００３】
【発明が解決しようとする課題】
ところでこの種の器具は、浴室の雰囲気を左右させ易いものであるから、浴室の雰囲気を高めることに役立ち、高級感を醸し出すことが可能になるよう形成されているのが望ましい。
【０００４】
しかるに従来品は、上記の通り、カバー単独で形成され、カバーはランプの能力や仕様等を前提に決定されていた。換言すると、従来品は、取り付け箇所である浴室の壁面と関連付けて形成されているものではなかったから、従来品を使用すると、浴室の壁面に照明器具が目立った状態で独立状に配置され、その結果浴室空間の雰囲気や浴室のデザイン性を損なわせ易い、という問題点があった。
【０００５】
本発明は、このような従来品の問題点に鑑み、提案されたものである。
従って本発明の技術的課題は、浴室の壁面と関連付けて形成し、浴室の雰囲気やデザイン性の向上に寄与でき、高級感を醸し出すことができるよう形成した浴室の照明用カバーユニットを提供することにある。
【０００６】
【課題を解決するための手段】
本発明は、上記の課題を解決するために、次のような技術的手段を採る。
【０００７】
即ち本発明は、図１に示されるように、浴室１の対向する壁面１ａに取り付けられる一対のカバー受け部材３と、このカバー受け部材３に端部が取り付けられて架け渡され、上記の壁面１ａの間に横架される横長状の照明用カバー４とでなり、カバー４が、カバー受け部材３に嵌着自在に形成され、カバー受け部材３のカバー４の長手方向と直交する方向の前側に、カバー４の長手方向に沿った前端部４ａを係合させるための係合部３ａが後方に折り返し状に形成され、又このカバー受け部材３の後側に、カバー４の長手方向に沿った後端部４ｂを係止させるための係止部３ｂが起立状に形成され、この係止部３ｂの上部に、カバー４の後端部４ｂの上端を係止させるための爪片３ｃが前方に突き出されて形成され、上記のカバー４が長手方向と直交する方向に可撓状に形成されていることを特徴とする（請求項１）。
【０００８】
本発明の場合、カバー受け部材３及びカバー４の材質や形状は任意である。カバー４は、図２に示されるように、例えば光源としての照明灯７からの光を浴室１の天井や壁などに反射させ、その間接光を利用できるよう形成されるのでも良い。
而して本発明の場合は、ネジ等の止め具を省略でき、カバー４の取付作業を容易化、迅速化できる。また本発明の場合は、簡単な構造でカバー４をカバー受け部材３に嵌め付けることができ、ドアの開閉時に風圧や振動をカバー４が受けても爪片３ｃで浮き上がりや位置ずれを防止でき、更にはカバー４の撓みを利用するため、カバー４の着脱操作を容易化できる。
【０００９】
又本発明は、カバー受け部材３に、カバー４の端部を当接させる位置決め部５が形成され、この位置決め部５にカバー４の端部を誘導するための誘導部６が連ねられ、この誘導部６がカバー受け部材３の取り付け壁面１ａの側に反らされて形成されるのが好ましい（請求項２）。
【００１０】
この場合は、カバー４の取り付け位置を直接視認できない場合でも、所定の位置にカバー４を楽に且つ正確にセットできるからである。
【００１１】
又本発明は、図６、図７に示されるように、浴室１の対向する壁面１ａと直交する壁面１２に取り付けられてカバー４の長手方向の胴部を支承する支承部材１３を備え、この支承部材１３の前側に、カバー４の長手方向に沿った前端部４ａを係合させるための係合部１３ａが後方に折り返し状に形成され、又この支承部材１３の後側に、カバー４の長手方向に沿った後端部４ｂを係止させるための係止部１３ｂが起立状に形成され、この係止部１３ｂの上部に、カバー４の後端部４ｂの上端を係止させるための爪片１３ｃが前方に突き出されて形成されているのが好ましい（請求項３）。
【００１２】
この場合は、カバー４の撓みを防止できるからである。従ってカバー４が、例えば上面開口状の間接照明用に形成されている場合、支承部材１３によってカバー４の胴部の撓みを一掃でき、水が胴部に溜まることを防止できる。
【００１３】
なお本発明の場合、支承部材１３は、単数には限られず複数でも良い。又支承部材１３の形状、材質、デザイン等は任意である。支承部材１３は、図７に示されるように、この実施形態では後端部１３１が、ネジ１４で上記の壁面１２に固定されている。
【００１４】
【発明の実施の形態】
以下、本発明の好適な一実施形態を添付図面に従って説明する。
【００１５】
図１等において、１は浴室であり、１ａはこの浴室１の対向する壁面である。この壁面１ａは、ドーム形天井パネル２の両側の垂直面部で構成されている。
【００１６】
３は、上記の壁面１ａに取り付けられる一対のカバー受け部材である。又４は、このカバー受け部材３に端部が取り付けられて架け渡され、上記の壁面１ａの間に横架される横長状の照明用カバーである。本発明品は、このカバー４と、上記のカバー受け部材３とで形成されている。
【００１７】
上記のカバー受け部材３は、樹脂材で形成され、図２〜図５に示されるように、カバー４の端部を当接させる例えばリブ状の位置決め部５を備えて形成されている。６は、カバー４の端部を誘導するための誘導部である。この誘導部６は、位置決め部５に連ねられ、カバー受け部材３の取り付け壁面１ａの側に反らされて形成されている。
【００１８】
又この実施形態の場合は、カバー受け部材３のカバー４の長手方向と直交する方向の前側に、カバー４の長手方向に沿った前端部４ａを係合させるための係合部３ａが後方に折り返し状に形成されている。又カバー受け部材３の後側には、カバー４の長手方向に沿った後端部４ｂを係止させるための係止部３ｂが起立状に形成されている。３ｃは、カバー４の後端部４ｂの上端を係止させるための爪片である。この爪片３ｃは、係止部３ｂの上部に、前方に突き出されて形成されている。
【００１９】
なお７は、照明灯としての直管形蛍光灯である。又３ｄは、カバー受け部材３を壁面１ａに固定するためのビスである。カバー受け部材３は、図４に示されるように、側面３eにネジ孔３ｆが形成されている。
【００２０】
又上記の照明用カバー４は、樹脂材で、長手方向と直交する方向に可撓状に形成されている。このカバー４は、上面が開口され、間接照明用に形成されている。又このカバー４の長手方向に沿った前端部４ａは、カバー受け部材３の係合部３ａに係合し易くなるよう、後方に折り返し状に形成されている。又カバー４の長手方向に沿った後端部４ｂは、この実施形態では長手方向にわたって立ち上げられている。
【００２１】
本発明品の場合、先ず作業者は、浴室１の対向する壁面１ａに、高さを合わせてカバー受け部材３をビス３ｄで止め付ける。次に作業者は、カバー４の前後を押圧して撓ませ、カバー４の長手方向に沿った前端部４ａを、カバー受け部材３の係合部３ａに係合させる。又作業者は、同時にカバー４の端部を上記の誘導部６に沿わせて位置決め部５に当接させ、カバー４の後端部４ｂを係止部３ｂに係止させ、この後端部４ｂの上端を爪片３ｃに係止させてカバー４をカバー受け部材３に嵌着させる。
【００２２】
【発明の効果】
以上説明したように本発明品は、浴室の対向する壁面に取り付ける一対のカバー受け部材と、このカバー受け部材に架け渡して上記の壁面の間に取り付ける横長状の照明用カバーとでなり、カバーを、カバー受け部材に嵌着自在に形成し、カバー受け部材のカバーの長手方向と直交する方向の前側に、カバーの長手方向に沿った前端部を係合させるための係合部を後方に折り返し状に形成し、又このカバー受け部材の後側に、カバーの長手方向に沿った後端部を係止させるための係止部を起立状に形成し、この係止部の上部に、カバーの後端部の上端を係止させるための爪片を前方に突き出させて形成し、上記のカバーを長手方向と直交する方向に可撓状に形成しているものである。
【００２３】
従って本発明品を使用すれば、天井や側壁との納まりが良くなり、対向する壁面の間に体裁良く設けることができるから、浴室の高級感を醸成でき、浴室のデザイン性を高めることができる。
【００２４】
なお本発明品は、一対のカバー受け部材を壁面の対向位置に取り付け、このカバー受け部材にカバーを横架させるものである。従ってこれによれば、カバーの取付状態を安定化、堅固化できる、という利点もある。
【図面の簡単な説明】
【図１】  本発明ユニットの好適な一実施形態を示す使用状態時の斜視図である。
【図２】  図１のIIーII線における断面図である。
【図３】  カバー受け部材の平面図である。
【図４】  図３のIVーIV線における断面図である。
【図５】  図４のＶーＶ線から見たカバー受け部材の断面図である。
【図６】  同上本発明品の他の実施形態を示す使用状態時の斜視図である。
【図７】  図６のVIIーVII線における断面図である。
【符号の説明】
１    浴室
１ａ  浴室の対向する壁面
３    カバー受け部材
４    照明用カバー
【図１】
0003885457.tif 000002
【図２】
0003885457.tif 000003
【図３】
0003885457.tif 000004
【図４】
0003885457.tif 000005
【図５】
0003885457.tif 000006
【図６】
0003885457.tif 000007
【図７】
0003885457.tif 000008